(57)【要約】【課題】  この発明は、ＲＧＢＷ方式の自発光型ディスプレイを備えた表示装置において、高周波成分を含む白映像を表示する際に、解像度を向上させることができる表示装置を提供することを目的とする。【解決手段】  ＲＧＢＷ方式の自発光型ディスプレイを備えた表示装置において、ＲＧＢ−ＲＧＢＷ変換率が可変のＲＧＢ−ＲＧＢＷ変換回路、上記ＲＧＢ−ＲＧＢＷ変換回路に入力されるＲＧＢ入力信号に基づいて、所定単位領域毎に高周波成分を含む白映像が表示される領域か否かを判定する判定手段、ならびに上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段を備えている。【選択図】  図２８
2006308685.tif 000002
【特許請求の範囲】
【請求項１】
ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、
ＲＧＢ−ＲＧＢＷ変換率が可変のＲＧＢ−ＲＧＢＷ変換回路、
上記ＲＧＢ−ＲＧＢＷ変換回路に入力されるＲＧＢ入力信号に基づいて、所定単位領域毎に高周波成分を含む映像が表示される領域か否かを判定する判定手段、ならびに
上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段、
を備えていることを特徴とする表示装置。
【請求項２】
上記制御手段は、上記判定手段によって高周波成分を含む映像が表示されると判定された単位領域については、ＲＧＢ−ＲＧＢＷ変換率を、高周波成分を含む映像が表示されないと判定された単位領域に対して用いられるＲＧＢ−ＲＧＢＷ変換率よりも低い値に設定することを特徴とする請求項１に記載の表示装置。
【請求項３】
ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、
ＲＧＢ−ＲＧＢＷ変換率が可変のＲＧＢ−ＲＧＢＷ変換回路、
上記ＲＧＢ−ＲＧＢＷ変換回路に入力されるＲＧＢ入力信号に基づいて、所定単位領域毎にエッジ部か否かを判定する判定手段、ならびに
上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段、
を備えていることを特徴とする表示装置。
【請求項４】
上記制御手段は、上記判定手段によってエッジ部であると判定された単位領域については、ＲＧＢ−ＲＧＢＷ変換率を、エッジ部であると判定されなかった単位領域に対して用いられるＲＧＢ−ＲＧＢＷ変換率よりも低い値に設定することを特徴とする請求項３に記載の表示装置。
【請求項５】
ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、
ＲＧＢ−ＲＧＢＷ変換率が可変のＲＧＢ−ＲＧＢＷ変換回路、
上記ＲＧＢ−ＲＧＢＷ変換回路に入力されるＲＧＢ入力信号に基づいて、所定単位領域毎に高周波成分を含む白映像が表示される領域か否かを判定する判定手段、ならびに
上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段、
を備えていることを特徴とする表示装置。
【請求項６】
上記制御手段は、上記判定手段によって高周波成分を含む白映像が表示されると判定された単位領域については、ＲＧＢ−ＲＧＢＷ変換率を、高周波成分を含む白映像が表示されないと判定された単位領域に対して用いられるＲＧＢ−ＲＧＢＷ変換率よりも低い値に設定することを特徴とする請求項５に記載の表示装置。
【請求項７】
ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、
ＲＧＢ−ＲＧＢＷ変換率が可変のＲＧＢ−ＲＧＢＷ変換回路、
上記ＲＧＢ−ＲＧＢＷ変換回路に入力されるＲＧＢ入力信号に基づいて、所定単位領域毎に表示色を判定するとともにエッジ部であるか否かを判定する判定手段、ならびに
上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段、
を備えていることを特徴とする表示装置。
【請求項８】
上記判定手段は、単位領域毎にＲＧＢ入力信号の全てが所定の閾値より大きくかつエッジ部であるという条件を満たしているか否かを判定するものであり、上記制御手段は、上記判定手段によってＲＧＢ入力信号の全てが所定の閾値より大きくかつエッジ部であるという条件を満たしていると判定された単位領域については、ＲＧＢ−ＲＧＢＷ変換率を、その条件を満たしていないと判定された単位領域に対して用いられるＲＧＢ−ＲＧＢＷ変換率よりも低い値に設定することを特徴とする請求項７に記載の表示装置。
【請求項９】
ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、
ＲＧＢ−ＲＧＢＷ変換率が可変のＲＧＢ−ＲＧＢＷ変換回路、
上記ＲＧＢ−ＲＧＢＷ変換回路に入力されるＲＧＢ入力信号に基づいて、所定単位領域毎に色の濃さを判定するとともに高周波成分を判定する判定手段、ならびに
上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段、
を備えていることを特徴とする表示装置。
【請求項１０】
上記判定手段は、ＲＧＢ入力信号をRin,Gin,Bin とすると、単位領域毎に｜Rin −Gin ｜、｜Gin −Bin ｜および｜Bin −Rin ｜のうちの最大値を色の濃さとして算出する手段、ならびに単位領域毎に、ＲＧＢ−ＲＧＢＷ変換率を１００％と仮定した場合にＲＧＢ−ＲＧＢＷ変換によって得られるＷ信号を算出し、算出したＷ信号に含まれる高周波成分を算出する手段を備えており、上記制御手段は、判定手段によって単位領域毎に算出された色の濃さおよび高周波成分に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御するものであることを特徴とする請求項９に記載の表示装置。
【請求項１１】
上記制御手段は、判定手段によって算出された色の濃さが小さいほど、かつ判定手段によって算出された高周波成分が大きいほど、ＲＧＢ−ＲＧＢＷ変換率が小さくなるように、ＲＧＢ−ＲＧＢＷ変換率を制御するものであることを特徴とする請求項１０に記載の表示装置。
【発明の詳細な説明】
【技術分野】
【０００１】
この発明は、有機ＥＬディスプレイ、無機ＥＬディスプレイ、プラズマディスプレイ等の自発光型ディスプレイを備えた表示装置に関する。
【背景技術】
【０００２】
有機ＥＬディスプレイ等の自発光型ディスプレイは、薄型、軽量、低消費電力などの特徴を有しており、用途が広がっている。ただし、携帯電話、デジタルスチルカメラなどの用途においては、更なる低消費電力化への要求が高い。
【０００３】
白発光材料にＲ，Ｇ，Ｂのカラーフィルタが張りつけられているＲＧＢ方式の有機ＥＬディスプレイが既に開発されている。ＲＧＢ方式の有機ＥＬディスプレイでは、ＲＧＢ単位画素毎に有機ＥＬ素子を含んでいる。ＲＧＢ方式の有機ＥＬディスプレイでは、カラーフィルタを光が通過する際に光の一部がカラーフィルタに吸収されるため、光利用効率が悪くなっている。この光利用効率の低さが消費電力の低下を妨げている。
【０００４】
そこで、本出願人は、１画素がＲＧＢＷの４つの単位画素から構成されており、ＲＧＢ単位画素には色フィルタが設けられ、Ｗ単位画素には色フィルタが設けられていないＲＧＢＷ方式の有機ＥＬディスプレイ（自発光型ディスプレイ）の信号処理回路であって、低消費電力化が図れる有機ＥＬディスプレイの信号処理回路を既に開発して出願している。ＲＧＢＷ方式の有機ＥＬディスプレイではＲＧＢＷ単位画素毎に有機ＥＬ素子を含んでいる。
【０００５】
本出願人が既に開発した自発光型ディスプレイの信号処理回路について説明する。本出願人が既に開発した自発光型ディスプレイの信号処理回路は、白発光材料にカラーフィルタが張りつけられている有機ＥＬディスプレイのような自発光型ディスプレイを対象としている。このように自発光型ディスプレイにおいて、図１に示すように、１画素を４つの単位画素で構成し、そのうちの３つの単位画素に３原色、たとえば、Ｒ（赤），Ｇ（緑），Ｂ（青）を表示するためのカラーフィルタを配置している。残りの１つの単位画素を、カラーフィルタを配置していない白（Ｗ）表示専用としている。
【０００６】
このようなＲＧＢＷ配列では、白表示専用の単位画素は、カラーフィルタが存在していないため、光の利用効率は非常に高い。したがって、例えば、白１００％を表示するときには、ＲＧＢ表示用の単位画素を発光させて白１００％を表示するのではなく、白表示専用の単位画素を発光させて白１００％を表示させれば、大幅な低消費電力化が図れる。
【０００７】
しかしながら、実際には、白発光材料によって得られる白の色度は、目標とする白の色度となっていない場合が多く、白表示専用の単位画素の白発光に対して、ＲＧＢ表示用の単位画素の発光を付加する必要がある。
【０００８】
そこで、白発光材料によって得られる白の色度が目標とする白の色度と異なる場合に、ＲＧＢ入力信号を、当該入力信号に対応する輝度および色度が同一でかつ低消費電力化が図れるＲＧＢＷ信号に変換するための信号処理の手法を開発した。
【０００９】
〔１〕表示装置の構成の説明
図２は、表示装置の構成を示している。
ＲＧＢ−ＲＧＢＷ信号変換回路１には、デジタルのＲＧＢ入力信号が入力される。ＲＧＢ−ＲＧＢＷ信号変換回路１は、ＲＧＢ入力信号をＲＧＢＷ信号に変換する。ＲＧＢ−ＲＧＢＷ信号変換回路１によって得られたＲＧＢＷ信号は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【００１０】
〔２〕ＲＧＢ−ＲＧＢＷ信号変換の基本的な考え方の説明
図３に示すような、ＲＧＢ入力信号を想定する。なお、説明の便宜上、ＲＧＢ入力信号には、予めガンマ補正がかけられていないものとする。また、ＲＧＢのみで目標の白の輝度および色度を実現するようなＲＧＢ輝度がＲＧＢの白側リファレンス輝度（Ｄ／Ａ変換回路２のＲＧＢに対する白側リファレンス電圧）として予め設定されているものとする。なお、Ｗの白側リファレンス輝度は、Ｗのみ表示したときに目標輝度（後述する図９のステップＳ４で決定されるＷの輝度）となるように調整される。
【００１１】
この例では、ＲＧＢ入力信号値は、８ビットで表され、Ｒ＝２００，Ｇ＝１００，Ｂ＝１７０であるとする。ＲＧＢ入力信号値の最小値は１００であるので、ＲＧＢ入力信号値を、図４に示すように、それらの最小値（ｍｉｎ（ＲＧＢ））と、図５に示すように、残りの値（入力信号−ｍｉｎ（ＲＧＢ））とに分解する。図４の場合、ＲＧＢ入力信号値が全て１００の場合の目標の白Ｗt （１００）と等価となっている。
【００１２】
ＲＧＢ入力信号値が全て２５５の場合の目標の白Ｗt （２５５）を表現するためのＲＧＢＷの信号値が図６に示すような信号値（７７，０，２０４，２５５）であるとすると、ＲＧＢ入力信号値が全て１００の場合の目標の白Ｗt （１００）を実現するためのＲＧＢＷの信号値は図７に示すようになる。なお、白発光材料によって得られる白の色度が目標とする白の色度に近づくほど、目標の白Ｗt （２５５）を表現するためのＲＧＢＷの信号値におけるＷ以外のＲＧＢ値は小さくなる。
【００１３】
図６に示すような信号値については、目標白を実現するためのＲＧＢ輝度値およびＲＧＢＷ輝度値から求めることができる。ＲＧＢ入力信号値が全て２５５の場合の目標白を実現するためのＲＧＢＷ信号値を（Ｒ１，Ｇ１，Ｂ１，Ｗ１）とする。目標白の輝度および色度を実現するためのＲＧＢ輝度値を（ＬＲ１，ＬＧ１，ＬＢ１）、目標白の輝度および色度を実現するためのＲＧＢＷ輝度値を（ＬＲ２，ＬＧ２，ＬＢ２，ＬＷ２）とすると、ＲＧＢ入力信号値が全て２５５の場合の目標白を実現するためのＲＧＢＷ信号値は、（Ｒ１＝２５５×ＬＲ２／ＬＲ１，Ｇ１＝２５５×ＬＧ２／ＬＧ１，Ｂ１＝２５５×ＬＢ２／ＬＢ１，Ｗ１＝２５５）となる。特に、Ｗに関しては、ＲＧＢＷ表示系のみでしか定義できないので、一意に２５５となる。なお、目標白の輝度および色度を実現するためのＲＧＢ輝度値およびＲＧＢＷ輝度値の求め方については後述する。
【００１４】
図７のＲ，Ｇ，Ｂ，Ｗは、次式（１）によって求められる。
【００１５】
Ｒ＝７７×１００／２５５＝３０
Ｇ＝０×１００／２５５＝０
Ｂ＝２０４×１００／２５５＝８０
Ｗ＝２５５×１００／２５５＝１００        …（１）
【００１６】
そこで、図４のＲＧＢ値を、図７のＲＧＢＷ値と置き換える。したがって、図３に示すＲＧＢ値は、図５のＲＧＢ値と図７のＲＧＢＷ値とを加算することにより、図８に示すＲＧＢＷ値に変換される。
【００１７】
図８のＲ，Ｇ，Ｂ，Ｗは、次式（２）によって求められる。
【００１８】
Ｒ＝１００＋３０＝１３０
Ｇ＝０＋０＝０
Ｂ＝７０＋８０＝１５０
Ｗ＝０＋１００＝１００      …（２）
【００１９】
ＲＧＢの白側リファレンス輝度（目標白の輝度および色度を実現するためのＲＧＢ輝度値）、目標白の輝度および色度を表現するためのＲＧＢＷの輝度値、ならびにＲＧＢ入力信号値が全て２５５の場合の目標白を実現するためのＲＧＢＷ信号値は、予めパネル調整処理によって求められている。
【００２０】
〔３〕第１のＲＧＢ−ＲＧＢＷ信号変換処理についての説明
【００２１】
図９は、パネル調整処理手順を示している。
【００２２】
目標の白Ｗt の輝度ＬWtおよび色度座標（ｘWt，ｙWt  ）を設定する（ステップＳ１）。
【００２３】
次に、有機ＥＬディスプレイ３のＲＧＢＷの色度を測定する（ステップＳ２）。例えば、Ｒの色度を測定する場合には、有機ＥＬディスプレイ３のＲ表示用の単位画素のみを発光させて、その色度を光学測定器によって測定する。測定されたＲＧＢＷの色度座標を、それぞれ（ｘR ，ｙR ），（ｘG ，ｙG ），（ｘB ，ｙB ），（ｘW ，ｙW ）とする。
【００２４】
次に、ＲＧＢによるホワイトバランス（ＷＢ）調整時のＲＧＢの輝度値を算出する（ステップＳ３）。つまり、ＲＧＢの３色によって、目標の白Ｗt の輝度ＬWtおよび色度（ｘWt，ｙWt  ）を表現する際のＲＧＢの輝度値ＬR （上記ＬＲ１に相当する），ＬG （上記ＬＧ１に相当する），ＬB （上記ＬＢ１に相当する）を算出する。この輝度値ＬR ，ＬG ，ＬB は、次式（３）から求められる。
【００２５】
【数１】
2006308685.tif 000003
【００２６】
ただし、ｚR ＝１−ｘR −ｙR 、ｚG ＝１−ｘG −ｙG 、ｚB ＝１−ｘB −ｙB 、ｚWt＝１−ｘWt−ｙWtである。
【００２７】
次に、ＲＧＢＷによるホワイトバランス（ＷＢ）調整時のＲＧＢＷの輝度値を算出する（ステップＳ４）。つまり、ＲＧＢＷの４色によって、目標の白Ｗt の輝度ＬWtおよび色度（ｘWt，ｙWt  ）を表現する際のＲＧＢＷの輝度値ＬR （上記ＬＲ２に相当する），ＬG （上記ＬＧ２に相当する），ＬB （上記ＬＢ２に相当する），ＬW （上記ＬＷ２に相当する）を算出する。
【００２８】
ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とが、図１０に示すような関係にあるとすると、目標の白Ｗt の色度を、ＲＢＷの３色のみによって表現することが可能である。ＲＢＷの３色によって、目標の白Ｗt の輝度ＬWtおよび色度（ｘWt，ｙWt  ）を表現する際のＲＢＷの輝度値ＬR （上記ＬＲ２に相当），ＬB （上記ＬＢ２に相当），ＬW （上記ＬＷ２に相当）は、次式（４）から求められる。この場合、上記ＬＧ２に相当するＬG は０である。
【００２９】
【数２】
2006308685.tif 000004
【００３０】
ただし、ｚR ＝１−ｘR −ｙR 、ｚW ＝１−ｘW −ｙW 、ｚB ＝１−ｘB −ｙB 、ｚWt＝１−ｘWt−ｙWtである。
【００３１】
次に、上記ステップＳ３の算出結果を用いて、ＲＧＢＷの白側リファレンス輝度を算出する（ステップＳ５）。
【００３２】
ＲＧＢ入力信号値が８ビットで表される場合、ＲＧＢの白側リファレンス輝度は、ＲＧＢ信号として（２５５，２５５，２５５）を入力したときに、発光輝度および発光色が目標の白Ｗt の輝度ＬWtおよび色度（ｘWt，ｙWt  ）となるように調整される。つまり、ＲＧＢ信号として（２５５，２５５，２５５）を入力したときに、ＲＧＢの輝度がそれぞれ上記ステップＳ３で算出した輝度値ＬR ，ＬG ，ＬB となるように、ＲＧＢの白側リファレンス輝度が調整される。このようにＲＧＢの白側リファレンス輝度が調整されると、入力ＲＧＢ信号が同値の場合、発光色は必ず目標の白の色度となる。なお、Ｗの白側リファレンス輝度は、Ｗのみ表示したときに目標輝度（図９のステップＳ４で決定されたＷの輝度値ＬW ）となるように調整される。
【００３３】
なお、ＲＧＢ入力信号値が全て２５５の場合の目標白Ｗt （２５５）を実現するためのＲＧＢＷ信号値は、パネル調整処理のステップＳ３で算出された輝度値ＬR （上記ＬＲ１に相当する），ＬG （上記ＬＧ１に相当する），ＬB （上記ＬＢ１に相当する）と、上記ステップＳ４で算出された輝度値ＬR （上記ＬＲ２に相当する），ＬG （上記ＬＧ２に相当する），ＬB （上記ＬＢ２に相当する），ＬW （上記ＬＷ２に相当する）から予め算出される。
【００３４】
図１１は、ＲＧＢ入力信号をＲＧＢＷ信号に変換するための信号変換処理の手順を示している。
【００３５】
まず、ＲＧＢ入力信号中の最小値（ｍｉｎ（ＲＧＢ））を決定する（ステップＳ１１）。図３の例では、ｍｉｎ（ＲＧＢ）＝１００となる。
【００３６】
次に、各ＲＧＢ入力信号からｍｉｎ（ＲＧＢ）を減算する（ステップＳ１２）。図３の例では、図５に示すように、ＲＧＢに対する減算結果は、それぞれ１００，０，７０となる。
【００３７】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ１３）。目標の白Ｗt （２５５）を表現するためのＲＧＢＷの信号値が、図６で示すような信号値であるとすると、図３の例では、ｍｉｎ（ＲＧＢ）に対応するＲＧＢＷ信号の信号値は図７に示すようなる。
【００３８】
次に、上記ステップＳ１２で算出した減算値｛ＲＧＢ−ｍｉｎ（ＲＧＢ）｝に上記ステップＳ１３で求められたＲＧＢＷ信号の信号値を加算することにより、ＲＧＢ入力信号に対応するＲＧＢＷ信号を算出する（ステップＳ１４）。図３の例では、ＲＧＢ入力信号に対応するＲＧＢＷ信号は図８に示すようになる。
【００３９】
〔４〕第２のＲＧＢ−ＲＧＢＷ信号変換処理の説明
【００４０】
目標の白の色度をＲＢＷの３色のみによって表現することが可能な場合においてＲＧＢ入力信号の中の最小値がＧ信号である場合には、図１１のステップＳ１１〜ステップＳ１４の処理（ＲＧＢ−ＲＧＢＷ変換ルーチン）によって、ＲＧＢ信号の１つの信号（Ｇ信号）が０となるＲＧＢＷ信号が得られる。
【００４１】
同様に、目標の白の色度をＲＧＷの３色のみによって表現することが可能な場合においてＲＧＢ入力信号の中の最小値がＢ信号である場合にも、図１１のステップＳ１１〜ステップＳ１４の処理（ＲＧＢ−ＲＧＢＷ変換ルーチン）によって、ＲＧＢ信号の１つの信号（Ｂ信号）が０となるＲＧＢＷ信号が得られる。また、目標の白の色度をＧＢＷの３色のみによって表現することが可能な場合においてＲＧＢ入力信号の中の最小値がＲ信号である場合にも、図１１のステップＳ１１〜ステップＳ１４の処理（ＲＧＢ−ＲＧＢＷ変換ルーチン）によって、ＲＧＢ信号の１つの信号（Ｒ信号）が０となるＲＧＢＷ信号が得られる。
【００４２】
しかしながら、目標の白の色度をＲＢＷの３色のみによって表現することが可能な場合においてＲＧＢ入力信号の中の最小値がＧ信号以外の色の信号である場合、目標の白の色度をＲＧＷの３色のみによって表現することが可能な場合においてＲＧＢ入力信号の中の最小値がＢ信号以外の色の信号である場合、および目標の白の色度をＧＢＷの３色のみによって表現することが可能な場合においてＲＧＢ入力信号の中の最小値がＲ信号以外の色の信号である場合には、図１１のステップＳ１１〜ステップＳ１４の処理（ＲＧＢ−ＲＧＢＷ変換ルーチン）を１回行うだけでは、得られたＲＧＢＷ信号におけるＲＧＢ信号中の１つの信号が０とならない。
【００４３】
つまり、条件によっては、ＲＧＢ−ＲＧＢＷ変換ルーチンを１回行うだけでは、得られたＲＧＢＷ信号におけるＲＧＢ信号中の１つの信号が０とならない。
【００４４】
ＲＧＢＷ信号におけるＲＧＢ信号中の１つの信号が０となるように、ＲＧＢ入力信号をＲＧＢＷ信号に変換した方が、Ｗ信号の大きさが大きくなり、発光効率が高くなり、低消費電力化が図れる。
【００４５】
そこで、第２のＲＧＢ−ＲＧＢＷ信号変換処理では、条件にかかわらず、ＲＧＢ信号中の１つの信号が０となるようなＲＧＢＷ信号が得られる信号変換方法を提案する。
【００４６】
図１２は、ＲＧＢ入力信号をＲＧＢＷ信号に変換するための第２のＲＧＢ−ＲＧＢＷ信号変換処理の手順を示している。
【００４７】
ＲＧＢ入力信号値が全て２５５の場合の目標の白Ｗt （２５５）を表現するためのＲＧＢＷの信号値が図６で示すような信号値であるとする。
【００４８】
まず、ＲＧＢ入力信号中の最小値（ｍｉｎ（ＲＧＢ））を決定する（ステップＳ２１）。図１３に示すように、ＲＧＢ入力信号値が、Ｒ＝２００，Ｇ＝１７０，Ｂ＝１００であるとすると、図１５に示すように、ｍｉｎ（ＲＧＢ）＝１００となる。
【００４９】
次に、各ＲＧＢ入力信号からｍｉｎ（ＲＧＢ）を減算する（ステップＳ２２）。図１３の例では、図１４に示すように、ＲＧＢに対する減算結果は、それぞれ１００，７０，０となる。つまり、ＲＧＢ入力信号は、図１４のＲＧＢ信号値と、図１５のＲＧＢ信号値とに分解される。
【００５０】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ２３）。目標白Ｗt （２５５）を実現するためのＲＧＢＷ信号値が、図６で示すような信号値であるとすると、図１３の例では、ｍｉｎ（ＲＧＢ）に対応するＲＧＢＷ信号の信号値は図１６（図７と同じ）に示すようなる。
【００５１】
次に、上記ステップＳ２２で求められた減算値｛ＲＧＢ−ｍｉｎ（ＲＧＢ）｝に上記ステップＳ２３で求められたＲＧＢＷ信号の信号値を加算することにより、ＲＧＢ入力信号に対応するＲＧＢＷ信号を算出する（ステップＳ２４）。図１３の例では、ＲＧＢ入力信号に対応するＲＧＢＷ信号は図１７に示すようになる。
【００５２】
図１７のＲ，Ｇ，Ｂ，Ｗは、次式（５）によって求められる。
【００５３】
Ｒ＝１００＋３０＝１３０
Ｇ＝７０＋０＝７０
Ｂ＝０＋８０＝８０
Ｗ＝０＋１００＝１００      …（５）
【００５４】
次に、得られたＲＧＢＷ信号におけるＲＧＢ信号の最小値が０であるか否かを判別する（ステップＳ２５）。得られたＲＧＢＷ信号におけるＲＧＢ信号の最小値が０である場合には、信号変換処理を終了する。つまり、上記ステップＳ２４で得られたＲＧＢＷ信号がＲＧＢＷ出力信号となる。
【００５５】
得られたＲＧＢＷ信号におけるＲＧＢ信号の最小値が０でない場合には、得られたＲＧＢＷ信号を入力ＲＧＢＷ信号と見做して、上記ステップＳ２１〜Ｓ２４で行った処理（ＲＧＢ−ＲＧＢＷ変換ルーチン）と同様な処理を再度行う。
【００５６】
つまり、ＲＧＢＷ信号におけるＲＧＢ信号の最小値が０でない場合には、図１８に示すように、得られたＲＧＢＷ信号をＲ1 Ｇ1 Ｂ1 Ｗ1 入力信号とする。そして、Ｒ1 Ｇ1 Ｂ1 入力信号中の最小値（ｍｉｎ（Ｒ1 Ｇ1 Ｂ1 ））を決定する（ステップＳ２６）。図１８に示すように、Ｒ1 Ｇ1 Ｂ1 Ｗ1 入力信号が、Ｒ＝１３０，Ｇ＝７０，Ｂ＝８０，Ｗ＝１００であるとすると、図２０に示すように、ｍｉｎ（Ｒ1 Ｇ1 Ｂ1 ）＝７０となる。
【００５７】
次に、各Ｒ1 Ｇ1 Ｂ1 入力信号からｍｉｎ（Ｒ1 Ｇ1 Ｂ1 ）を減算する（ステップＳ２７）。図１８の例では、図１９に示すように、ＲＧＢに対する減算結果は、それぞれ６０、０、１０となる。つまり、Ｒ1 Ｇ1 Ｂ1 入力信号は、図１９のＲ1 Ｇ1 Ｂ1 信号値と、図２０のＲ1 Ｇ1 Ｂ1 信号値とに分解される。
【００５８】
次に、ｍｉｎ（Ｒ1 Ｇ1 Ｂ1 ）を、ＲＧＢ入力信号値が全て２５５の場合の目標の白Ｗt （２５５）を表現するためのＲＧＢＷの信号値を用いて、ＲＧＢＷ信号に変換する（ステップＳ２８）。目標白Ｗt （２５５）を実現するためのＲＧＢＷ信号値が、図６で示すような信号値であるとすると、図２０の例では、ｍｉｎ（Ｒ1 Ｇ1 Ｂ1 ）に対応するＲＧＢＷ信号の信号値は図２１に示すようなる。
【００５９】
図２１のＲ，Ｇ，Ｂ，Ｗは、次式（６）によって求められる。
【００６０】
Ｒ＝７７×７０／２５５＝２１
Ｇ＝０×７０／２５５＝０
Ｂ＝２０４×７０／２５５＝５６
Ｗ＝２５５×７０／２５５＝７０      …（６）
【００６１】
次に、上記ステップＳ２７で算出された減算値｛Ｒ1 Ｇ1 Ｂ1 −ｍｉｎ（Ｒ1 Ｇ1 Ｂ1 ）｝に上記ステップＳ２８で求められたＲＧＢＷ信号中のＲＧＢ信号値を加算することによりＲＧＢ信号を求めるとともに、Ｒ1 Ｇ1 Ｂ1 Ｗ1 入力信号中のＷ1 に上記ステップＳ２８で求められたＲＧＢＷ信号中のＷ信号値を加算することによりＷ信号を求める（ステップＳ２９）。このようにしてＲＧＢＷ信号が得られる。
【００６２】
上記の例では、ＲＧＢＷ信号は図２２に示すようになる。図２２のＲ，Ｇ，Ｂ，Ｗは、次式（７）によって求められる。
【００６３】
Ｒ＝６０＋２１＝８１
Ｇ＝０＋０＝０
Ｂ＝１０＋５６＝６６
Ｗ＝１００＋７０＝１７０      …（７）
【００６４】
次に、上記ステップＳ２９で求められたＲＧＢＷ信号におけるＲＧＢ信号の最小値が０であるか否かを判別する（ステップＳ３０）。得られたＲＧＢＷ信号におけるＲＧＢ信号の最小値が０である場合には、信号変換処理を終了する。
【００６５】
得られたＲＧＢＷ信号におけるＲＧＢ信号の最小値が０でない場合には、上記ステップＳ２６に戻る。つまり、得られたＲＧＢＷ信号におけるＲＧＢ信号の最小値が０となるまで、ＲＧＢ−ＲＧＢＷ変換ルーチンが繰り返し行われる。
〔５〕第３のＲＧＢ−ＲＧＢＷ信号変換処理の説明
【００６６】
上記第１のＲＧＢ−ＲＧＢＷ信号変換処理で説明したように、条件によっては、ｍｉｎ（ＲＧＢ）を減算することによって０にした信号が、その後のｍｉｎ（ＲＧＢ）からＲＧＢＷ信号への変換によって、１以上の値を持つことがある。このような場合には、上記第２のＲＧＢ−ＲＧＢＷ信号変換処理で説明したように、ＲＧＢ−ＲＧＢＷ変換ルーチンが繰り返し行われる。
【００６７】
第３のＲＧＢ−ＲＧＢＷ信号変換処理では、ＲＧＢ−ＲＧＢＷ変換ルーチンを１回実行することによって、条件にかかわらず、ＲＧＢ信号のうちの少なくとも１つが０となるＲＧＢＷ信号が得られる信号変換方法を提案する。
【００６８】
ＲＧＢ信号中の１つの信号に着目して、信号変換の過程について説明する。着目している信号を常にｍｉｎ（ＲＧＢ）として取り扱うようにし、またｍｉｎ（ＲＧＢ）のＲＧＢＷ信号への変換によって、当該信号に当該変換後のＷ信号の０．８割程度がフィードバックされてくると仮定すると、着目している信号は、たとえば、初期値を５０とすると、次式（８）に示すように、ＲＧＢ−ＲＧＢＷ変換ルーチンの実行回数に応じて変化する。
【００６９】
５０→４０→３２→２５．６→２０．５→１６．４→１３．１…→０    …（８）
【００７０】
この場合、Ｗ信号は、上記式（８）の全ての数値を加算した値となり、初項５０、公比０．８の無限等比級数の和として求めることができる。−１＜公比＜１の場合には、無限等比級数の和は、次式（９）のように簡略することができる。
【００７１】
無限等比級数の和＝初項／（１−公比）        …（９）
【００７２】
したがって、無限等比級数が上記式（８）で表される場合には、無限等比級数の和は、５０／（１−０．８）＝２５０となる。
【００７３】
実際の系では、ＲＧＢ信号毎に上記のような無限等比級数の和を算出し、そのうちの最小のものをｍｉｎ（ＲＧＢ）として、ＲＧＢ−ＲＧＢＷ変換ルーチンを１回実行する。この結果、得られたＲＧＢＷ信号におけるＲＧＢ信号のうちの１つが０となり、他の２つが０以上の値となる。
【００７４】
ＲＧＢ入力信号値が、Ｒ＝２５５，Ｇ＝２５５，Ｂ＝５０の場合を例にとって説明する。
【００７５】
ＲＧＢ入力信号値が全て２５５の場合の目標の白Ｗt （２５５）を表現するためのＲＧＢＷ信号の信号値が図６に示すような場合を想定すると、ｍｉｎ（ＲＧＢ）のＲＧＢＷ信号への変換による、ＲＧＢ信号のフィードバック率は０．３（＝図６のＲ／図６のＷ＝７７／２５５），０（＝図６のＧ／図６のＷ），０．８（＝図６のＢ／図６のＷ＝２０４／２５５）となる。
【００７６】
Ｒ，Ｇ，Ｂに対応する無限等比級数の和をΣＲ，ΣＧ，ΣＢとすると、ΣＲ，ΣＧ，ΣＢは、次式（１０）のようになる。
【００７７】
ΣＲ＝２５５／（１−０．３）＝３６４
ΣＧ＝２５５／（１−０）＝２５５
ΣＢ＝５０／（１−０．８）＝２５０      …（１０）
【００７８】
最小値は２５０となるので、２５０をＲＧＢ入力信号値から減算すると、その減算結果は、次式（１１）のようになる。
【００７９】
Ｒ＝２５５−２５０＝５
Ｇ＝２５５−２５０＝５
Ｂ＝５０−２５０＝−２００    …（１１）
【００８０】
一方、ｍｉｎ（ＲＧＢ）（＝２５０）をＲＧＢＷ信号に変換すると、次式（１２）のようになる。
【００８１】
Ｒ＝２５０×０．３＝７５
Ｇ＝２５５×０＝０
Ｂ＝５０×０．８＝２００
Ｗ＝２５０                    …（１２）
【００８２】
したがって、ＲＧＢＷ出力信号は、次式（１３）のようになる。
【００８３】
Ｒ＝５＋７５＝８０
Ｇ＝５＋０＝５
Ｂ＝−２００＋２００＝０
Ｗ＝２５０                    …（１３）
【００８４】
図２３は、ＲＧＢ入力信号をＲＧＢＷ信号に変換するための第３のＲＧＢ−ＲＧＢＷ信号変換処理の手順を示している。
【００８５】
ＲＧＢ入力信号値が全て２５５の場合の目標の白Ｗt （２５５）を表現するためのＲＧＢＷの信号値を用いて、ＲＧＢ信号のフィードバック率を算出する（ステップＳ４１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【００８６】
次に、ＲＧＢ入力信号毎に、ＲＧＢ入力信号値を初項とし、上記ステップＳ４１で算出したフィードバック率を公比とする無限等比級数の和ΣＲ，ΣＧ，ΣＢを算出する（ステップＳ４２）。
【００８７】
次に、ＲＧＢ入力信号毎に算出された無限等比級数の和ΣＲ，ΣＧ，ΣＢのうちの最小値を、ｍｉｎ（ＲＧＢ）として、ＲＧＢ入力信号から減算する（ステップＳ４３）。
【００８８】
次に、ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ４４）。
【００８９】
次に、上記ステップＳ４３で求められた減算値｛ＲＧＢ−ｍｉｎ（ＲＧＢ）｝に上記ステップＳ４４で求められたＲＧＢＷ信号の信号値を加算することにより、ＲＧＢ入力信号に対応するＲＧＢＷ信号を求める（ステップＳ４５）。
【特許文献１】特開平１１−２９５７１７号公報
【発明の開示】
【発明が解決しようとする課題】
【００９０】
図２３で示した第３のＲＧＢ−ＲＧＢＷ信号変換処理では、ｍｉｎ（ＲＧＢ）の１００％をＲＧＢＷ信号に変換している。つまり、ＲＧＢ−ＲＧＢＷ変換率（Ｗ使用率）は、常に１００％であった。
【００９１】
ＲＧＢＷ方式の自発光型ディスプレイの画素配列を図２４に示すような画素配列（ストライプ配列）であるとし、白発光材料によって得られる白の色度が目標とする白の色度に非常に近いと仮定する。このような画素配列のＲＧＢＷ方式の自発光型ディスプレイに、高周波成分を含む映像、エッジ部を含む映像または高周波成分を含む白映像（例えば、白文字）を表示する場合に、図２５に示すようにＷ単位画素のみを使用すると、連続性のない解像度が低下した映像となる。
【００９２】
本願出願人は、このように場合に、ＲＧＢ−ＲＧＢＷ変換率（Ｗ使用率）を１００％より低い値にすると、図２６に示すように、Ｗ単位画素のみならず、ＲＧＢ単位画素も発光させることができ、解像度が向上することを着想した。
【００９３】
また、本願出願人は、ＲＧＢ−ＲＧＢＷ変換率（Ｗ使用率）が１００％であり、高周波成分を含む映像、エッジ部を含む映像または高周波成分を含む白映像を表示する際に、白単位画素以外のＲＧＢ画素も若干発光している場合にも、ＲＧＢ−ＲＧＢＷ変換率（Ｗ使用率）を低下させることによって解像度を向上させることができることを着想した。
【００９４】
この発明は、ＲＧＢＷ方式の自発光型ディスプレイを備えた表示装置において、高周波成分を含む白映像を表示する際に、解像度を向上させることができる表示装置を提供することを目的とする。
【課題を解決するための手段】
【００９５】
請求項１に記載の発明は、ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、ＲＧＢ−ＲＧＢＷ変換率が可変のＲＧＢ−ＲＧＢＷ変換回路、上記ＲＧＢ−ＲＧＢＷ変換回路に入力されるＲＧＢ入力信号に基づいて、所定単位領域毎に高周波成分を含む映像が表示される領域か否かを判定する判定手段、ならびに上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段を備えていることを特徴とする。
【００９６】
請求項２に記載の発明は、請求項１に記載の発明において、上記制御手段は、上記判定手段によって高周波成分を含む映像が表示されると判定された単位領域については、ＲＧＢ−ＲＧＢＷ変換率を、高周波成分を含む映像が表示されないと判定された単位領域に対して用いられるＲＧＢ−ＲＧＢＷ変換率よりも低い値に設定することを特徴とする。
【００９７】
請求項３に記載の発明は、ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、ＲＧＢ−ＲＧＢＷ変換率が可変のＲＧＢ−ＲＧＢＷ変換回路、上記ＲＧＢ−ＲＧＢＷ変換回路に入力されるＲＧＢ入力信号に基づいて、所定単位領域毎にエッジ部か否かを判定する判定手段、ならびに上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段を備えていることを特徴とする。
【００９８】
請求項４に記載の発明は、請求項３に記載の発明において、上記制御手段は、上記判定手段によってエッジ部であると判定された単位領域については、ＲＧＢ−ＲＧＢＷ変換率を、エッジ部であると判定されなかった単位領域に対して用いられるＲＧＢ−ＲＧＢＷ変換率よりも低い値に設定することを特徴とする。
【００９９】
請求項５に記載の発明は、ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、ＲＧＢ−ＲＧＢＷ変換率が可変のＲＧＢ−ＲＧＢＷ変換回路、上記ＲＧＢ−ＲＧＢＷ変換回路に入力されるＲＧＢ入力信号に基づいて、所定単位領域毎に高周波成分を含む白映像が表示される領域か否かを判定する判定手段、ならびに上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段を備えていることを特徴とする。
【０１００】
請求項６に記載の発明は、請求項５に記載の発明において、上記制御手段は、上記判定手段によって高周波成分を含む白映像が表示されると判定された単位領域については、ＲＧＢ−ＲＧＢＷ変換率を、高周波成分を含む白映像が表示されないと判定された単位領域に対して用いられるＲＧＢ−ＲＧＢＷ変換率よりも低い値に設定することを特徴とする。      
【０１０１】
請求項７に記載の発明は、ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、ＲＧＢ−ＲＧＢＷ変換率が可変のＲＧＢ−ＲＧＢＷ変換回路、上記ＲＧＢ−ＲＧＢＷ変換回路に入力されるＲＧＢ入力信号に基づいて、所定単位領域毎に表示色を判定するとともにエッジ部であるか否かを判定する判定手段、ならびに上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段を備えていることを特徴とする。
【０１０２】
請求項８に記載の発明は、請求項７に記載の発明において、上記判定手段は、単位領域毎にＲＧＢ入力信号の全てが所定の閾値より大きくかつエッジ部であるという条件を満たしているか否かを判定するものであり、上記制御手段は、上記判定手段によってＲＧＢ入力信号の全てが所定の閾値より大きくかつエッジ部であるという条件を満たしていると判定された単位領域については、ＲＧＢ−ＲＧＢＷ変換率を、その条件を満たしていないと判定された単位領域に対して用いられるＲＧＢ−ＲＧＢＷ変換率よりも低い値に設定することを特徴とする。
【０１０３】
請求項９に記載の発明は、ＲＧＢ信号をＲＧＢＷ信号に変換するＲＧＢ−ＲＧＢＷ変換回路と、ＲＧＢ−ＲＧＢＷ変換回路によって得られたＲＧＢＷ信号に基づいて映像を表示するＲＧＢＷ方式の自発光型ディスプレイを備えた表示装置において、ＲＧＢ−ＲＧＢＷ変換率が可変のＲＧＢ−ＲＧＢＷ変換回路、上記ＲＧＢ−ＲＧＢＷ変換回路に入力されるＲＧＢ入力信号に基づいて、所定単位領域毎に色の濃さを判定するとともに高周波成分を判定する判定手段、ならびに上記判定手段による単位領域毎の判定結果に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御する制御手段を備えていることを特徴とする。      
【０１０４】
請求項１０に記載の発明は、請求項９に記載の発明において、上記判定手段は、ＲＧＢ入力信号をRin,Gin,Bin とすると、単位領域毎に｜Rin −Gin ｜、｜Gin −Bin ｜および｜Bin −Rin ｜のうちの最大値を色の濃さとして算出する手段、ならびに単位領域毎に、ＲＧＢ−ＲＧＢＷ変換率を１００％と仮定した場合にＲＧＢ−ＲＧＢＷ変換によって得られるＷ信号を算出し、算出したＷ信号に含まれる高周波成分を算出する手段を備えており、上記制御手段は、判定手段によって単位領域毎に算出された色の濃さおよび高周波成分に基づいて、上記ＲＧＢ−ＲＧＢＷ変換回路によって上記ＲＧＢ入力信号をＲＧＢＷ信号に変換する際のＲＧＢ−ＲＧＢＷ変換率を単位領域毎に制御するものであることを特徴とする。
【０１０５】
請求項１１に記載の発明は、請求項１０に記載の発明において、上記制御手段は、判定手段によって算出された色の濃さが小さいほど、かつ判定手段によって算出された高周波成分が大きいほど、ＲＧＢ−ＲＧＢＷ変換率が小さくなるように、ＲＧＢ−ＲＧＢＷ変換率を制御するものであることを特徴とする。
【発明の効果】
【０１０６】
この発明によれば、ＲＧＢＷ方式の自発光型ディスプレイを備えた表示装置において、高周波成分を含む白映像を表示する際に、解像度を向上させることができるようになる。
【発明を実施するための最良の形態】
【０１０７】
以下、図面を参照して、この発明の実施例について説明する。
【実施例１】
【０１０８】
〔１〕ＲＧＢ−ＲＧＢＷ変換回路についての説明
まず、実施例１で用いられるＲＧＢ−ＲＧＢＷ変換回路について説明する。実施例１で用いられるＲＧＢ−ＲＧＢＷ変換回路は、図２３を用いて説明した第３のＲＧＢ−ＲＧＢＷ変換処理とほぼ同様な処理によってＲＧＢ信号をＲＧＢＷ信号に変換する。ただし、Ｗ使用率（ＲＧＢ−ＲＧＢＷ変換率）を制御できるようにした点が異なっている。
【０１０９】
図２７は、実施例１で用いられるＲＧＢ−ＲＧＢＷ変換回路によるＲＧＢ−ＲＧＢＷ信号変換処理の手順を示している。
【０１１０】
まず、ＲＧＢ入力信号値が全て２５５の場合の目標の白Ｗt （２５５）を表現するためのＲＧＢＷの信号値を用いて、ＲＧＢ信号のフィードバック率を算出する（ステップＳ５１）。目標白Ｗt （２５５）を実現するためのＲＧＢＷ信号値が、図６で示すような信号値であるとすると、ＲＧＢ信号のフィードバック率は、０．３（＝７７／２５５），０，０．８（＝２０４／２５５）となる。
【０１１１】
次に、ＲＧＢ入力信号毎に、ＲＧＢ入力信号値を初項とし、上記ステップＳ５１で算出したフィードバック率を公比とする無限等比級数の和ΣＲ，ΣＧ，ΣＢを算出する（ステップＳ５２）。
【０１１２】
次に、ＲＧＢ入力信号毎に算出された無限等比級数の和ΣＲ，ΣＧ，ΣＢのうちの最小値をｍｉｎ（ＲＧＢ）とし、設定されたＷ使用率をαとして、ＲＧＢ入力信号からα×ｍｉｎ（ＲＧＢ）を減算する（ステップＳ５３）。
【０１１３】
次に、α×ｍｉｎ（ＲＧＢ）を、ＲＧＢ入力信号値が全て２５５の場合の目標の白Ｗt （２５５）を表現するためのＲＧＢＷの信号値を用いて、ＲＧＢＷ信号に変換する（ステップＳ５４）。
【０１１４】
次に、上記ステップＳ５３で求められた減算値｛ＲＧＢ−α×ｍｉｎ（ＲＧＢ）｝に上記ステップＳ５４で求められたＲＧＢＷ信号の信号値を加算することにより、ＲＧＢ入力信号に対応するＲＧＢＷ信号を求める（ステップＳ５５）。
【０１１５】
〔２〕表示装置の構成の説明
図２８は、表示装置の構成を示している。
【０１１６】
デジタルのＲＧＢ信号Rin,Gin,Bin は、Ｗ使用率決定部２０に送られるとともに、ラインメモリ（ＬＭ）１１、１２、１３を介してＲＧＢ−ＲＧＢＷ信号変換回路１に送られる。Ｗ使用率決定部２０は、ＲＧＢ信号Rin,Gin,Bin に基づいて画素毎にＷ使用率αを決定し、算出したＷ使用率αをＲＧＢ−ＲＧＢＷ信号変換回路１に与える。
【０１１７】
ＲＧＢ−ＲＧＢＷ信号変換回路１は、Ｗ使用率決定部２０によって与えられる画素毎のＷ使用率αを用いて、ＲＧＢ信号Rin,Gin,Bin を画素単位でＲＧＢＷ信号Rout,Gout,Bout,Wout に変換する。ＲＧＢ−ＲＧＢＷ信号変換回路１によって得られたＲＧＢＷ信号Rout,Gout,Bout,Wout は、Ｄ／Ａ変換回路２によってアナログのＲＧＢＷ信号に変換される。Ｄ／Ａ変換回路２によって得られたＲＧＢＷ信号は、１画素がＲＧＢＷの４つの単位画素で構成された有機ＥＬディスプレイ３に送られる。
【０１１８】
ＲＧＢ信号Rin,Gin,Bin の垂直同期信号Vsync および水平同期信号Hsync は、Ｗ使用率決定部２０およびタイミング生成回路４に送られる。タイミング生成回路４は、タイミング信号を生成して、Ｄ／Ａ変換回路２および有機ＥＬディスプレイ３に送る。
【０１１９】
図２９は、Ｗ使用率決定部２０の構成を示している。
【０１２０】
Ｗ使用率決定部２０は、ＲＧＢ信号Rin,Gin,Bin に基づいて、画素毎に、当該画素に対応する映像が高周波成分を含む白映像であるか否かを判別し、高周波成分を含む白映像でない場合には、当該画素に対応するＷ使用率αをWGain1（例えば、１００％）に設定し、高周波成分を含む白映像である場合には、当該画素に対応するＷ使用率αをWGain1より低いWGain2（例えば、７０％）に設定する。
【０１２１】
実施例１では、ＲＧＢ信号Rin,Gin,Bin の全てが所定の閾値βより大きい画素であって、かつエッジ部の画素を、高周波成分を含む白映像が表示される画素であると判定するようにしている。
【０１２２】
ＲＧＢ信号Rin,Gin,Bin は信号比較部（表示色判定手段）３０に送られる。信号比較部３０には、所定の閾値βが設定されている。信号比較部３０は、画素毎に、ＲＧＢ信号Rin,Gin,Bin の全てが所定の閾値βより大きいという条件を満たしているか否かを判別し、この条件を満たしていれば比較結果信号”１”を出力し、この条件を満たしていなければ比較結果信号”０”を出力する。
【０１２３】
信号比較部３０から出力される比較結果信号は、エッジ検出部５０に送られるととともに、１水平期間分遅延させるための第１のＬＭ（ラインメモリ）４１に送られる。第１のＬＭ（ラインメモリ）４１に保持された比較結果信号は、１水平期間分遅延せしめられた後、エッジ検出部５０に送られるととともに、１水平期間分遅延させるための第２のＬＭ（ラインメモリ）４２に送られる。第２のＬＭ（ラインメモリ）４２に保持された比較結果信号は、１水平期間分遅延せしめられた後、エッジ検出部５０に送られる。
【０１２４】
エッジ検出部５０は、１画素期間分遅延させるための第１〜第６のフリップフロップ（ＦＦ）５１〜５６およびエッジ判定部５７を備えている。
【０１２５】
信号比較部３０からエッジ検出部５０に入力された比較結果信号は、エッジ判定部５７にそのまま送られるとともに、第１のＦＦ５１に送られる。第１のＦＦ５１に保持された比較結果信号は、１画素期間分遅延せしめられた後に出力され、エッジ判定部５７送られるとともに第２のＦＦ５２に送られる。第２のＦＦ５２に保持された比較結果信号は、１画素期間分遅延せしめられた後に出力され、エッジ判定部５７に送られる。
【０１２６】
第１のＬＭ（ラインメモリ）４１からエッジ検出部５０に入力された比較結果信号は、エッジ判定部５７に送られるとともに、第３のＦＦ５３に送られる。第３のＦＦ５３に保持された比較結果信号は、１画素期間分遅延せしめられた後に出力され、エッジ判定部５７に送られるとともに第４のＦＦ５４に送られる。第４のＦＦ５４に保持された比較結果信号は、１画素期間分遅延せしめられた後に出力され、エッジ判定部５７に送られる。
【０１２７】
第２のＬＭ４２からエッジ検出部５０に入力された比較結果信号は、エッジ判定部５７に送られるとともに第５のＦＦ５５に送られる。第５のＦＦ５５に保持された比較結果信号は、１画素期間分遅延せしめられた後に出力され、エッジ判定部５７に送られるとともに第６のＦＦ５６に送られる。第６のＦＦ５６に保持された比較結果信号は、１画素期間分遅延せしめられた後に出力され、エッジ判定部５７に送られる。
【０１２８】
これにより、エッジ判定部５７には、図３０に示すように、３（水平方向）×３（垂直方向）の９画素ａ〜ｉに対応する比較結果信号が入力する。エッジ判定部５７は、中央の画素ｅを注目画素として、３×３の９画素に対応する比較結果信号に基づいて、注目画素がエッジ部分にあるか否かを判定する。
【０１２９】
次の（１）、（２）、（３）のいずれかの条件を満たす場合には、注目画素がエッジ部分にないと判定し、それらの条件を全て満たさない場合には注目画素がエッジ部分にあると判定する。
【０１３０】
（１）注目画素に対応する比較結果信号が”０”であること（図３１（ａ）参照）
（２）注目画素およびその周辺８画素に対応する比較結果信号が全て”１”であること（図３１（ｂ）参照）
（３）注目画素に対応する比較結果信号が”１”であり、かつ周辺８画素のうち、その４隅の画素のうちの１つのみの比較結果信号が”０”であること（図３１（ｃ）参照）
【０１３１】
エッジ判定部５７は、注目画素がエッジ部分にあると判定した場合には、判定結果信号”１”を出力し、注目画素がエッジ部分にないと判定した場合には、判定結果信号”０”を出力する。
【０１３２】
エッジ判定部５７から出力される判定結果信号は、セレクタ６０に選択制御信号として送られる。セレクタ６０には、WGain1（例えば、１００％）と、WGain2（例えば、７０％）とが入力している。セレクタ６０は、”０”の判定結果信号が送られてきたときには、当該注目画素に対応するＷ使用率αとしてWGain1を選択してＲＧＢ−ＲＧＢＷ信号変換回路１に設定し、”１”の判定結果信号が送られてきたときには、当該注目画素に対応するＷ使用率αとしてWGain2を選択してＲＧＢ−ＲＧＢＷ信号変換回路１に設定する。
【０１３３】
この結果、ＲＧＢ−ＲＧＢＷ信号変換回路１では、高周波成分を含む白映像以外の画素に対しては、WGain1（例えば、１００％）をＷ使用率αとしてＲＧＢ−ＲＧＢＷ信号変換処理が行われ、高周波成分を含む白映像の画素に対しては、WGain1より低いWGain2（例えば、７０％）をＷ使用率αとしてＲＧＢ−ＲＧＢＷ信号変換処理が行なわれる。したがって、高周波成分を含む白映像を表示する際に、解像度が向上する。
【実施例２】
【０１３４】
実施例２で用いられるＲＧＢ−ＲＧＢＷ信号変換回路は、実施例１で用いられるＲＧＢ−ＲＧＢＷ信号変換回路と同じである。つまり、実施例２で用いられるＲＧＢ−ＲＧＢＷ信号変換回路としては、図２７で示した手順によってＲＧＢ−ＲＧＢＷ信号変換処理を行なうものが用いられる。
【０１３５】
表示装置の全体的な構成は、図２８に示した構成と同じであるが、Ｗ使用率決定部２０の構成が、実施例１と異なっている。
【０１３６】
図３２は、Ｗ使用率決定部２０の構成を示している。
【０１３７】
Ｗ使用率決定部２０は、ＲＧＢ信号Rin,Gin,Bin に基づいて、画素毎に、白に近い色か否かを示す色の濃さと、Ｗ使用率を１００％であると仮定した場合のＷ信号の高周波成分とを算出し、算出された色の濃さと高周波成分とに基づいて、Ｗ使用率αを算出する。
【０１３８】
つまり、色の濃さが薄い（白に近い色）ほど、また高周波成分が大きいほど、Ｗ使用率αが小さくなるように、Ｗ使用率αを算出する。これは、色の濃さが薄くかつ高周波成分が大きいほど、高周波成分を含む白映像である可能性が高くなるからである。
【０１３９】
ＲＧＢ信号Rin,Gin,Bin は、Ｗ信号算出部９０に送られるとともに、ラインメモリ（ＬＭ）７１、７２、７３を介して色の濃さ判定部８０に送られる。
【０１４０】
色の濃さ判定部８０は、画素毎に色の濃さを算出するものであり、ＦＦ（フリップフロップ）８１、８２、８３、減算器８４、８５、８６および最大値検出部８７を備えている。
【０１４１】
ＬＭ７１、７２、７３に保持されたＲＧＢ信号Rin,Gin,Bin は、それぞれ１水平期間分遅延せしめられた後、ＦＦ８１、８２、８３に送られる。減算器８４では、ＦＦ（フリップフロップ）８１から出力される信号Rin と、ＦＦ（フリップフロップ）８２から出力される信号Gin との差の絶対値｜Rin −Gin ｜が算出され、その算出結果が最大値検出部８７に送られる。減算器８５では、ＦＦ（フリップフロップ）８２から出力される信号Gin と、ＦＦ（フリップフロップ）８３から出力される信号Bin との差の絶対値｜Gin −Bin ｜が算出され、その算出結果が最大値検出部８７に送られる。減算器８６では、ＦＦ（フリップフロップ）８３から出力される信号Bin と、ＦＦ（フリップフロップ）８１から出力される信号Rin との差の絶対値｜Bin −Rin ｜が算出され、その算出結果が最大値検出部８７に送られる。
【０１４２】
最大値検出部８７では、画素毎に減算器８４、８５、８６から送られてくる減算結果（｜Rin −Gin ｜，｜Gin −Bin ｜，｜Bin −Rin ｜）のうちの最大値を色の濃さとして算出する。つまり、色の濃さは、次式（１４）で表される。
【０１４３】
色の濃さ＝Max （｜Rin −Gin ｜，｜Gin −Bin ｜，｜Bin −Rin ｜）…（１４）
【０１４４】
最大値検出部８７によって画素毎に算出された色の濃さは、Ｗ使用率算出部１２０に送られる。
【０１４５】
Ｗ信号算出部９０は、画素毎にＷ使用率が１００％であると仮定した場合のＲＧＢ−ＲＧＢＷ信号変換後のＷ信号を算出する。図２７のステップＳ５１と同様な方法で算出されるＲＧＢのフィードバック率をRf，Gf，Bfとすると、Ｗ使用率が１００％であると仮定した場合のＲＧＢ−ＲＧＢＷ変換後のＷ信号Wsigは、次式（１５）で表される。
【０１４６】
Wsig＝Min ｛Rin ／（１−Rf），Gin ／（１−Gf），Bin ／（１−Bf）｝…（１５）
【０１４７】
Ｗ信号算出部９０は、乗算器９１、９２、９３および最小値検出部９４を備えている。乗算器９１は、信号Rin に、１／（１−Rf）を乗算し、その乗算結果を最小値検出部９４に送る。乗算器９２は、信号Gin に、１／（１−Gf）を乗算し、その乗算結果を最小値検出部９４に送る。乗算器９３は、信号Bin に、１／（１−Bf）を乗算し、その乗算結果を最小値検出部９４に送る。
【０１４８】
最小値検出部９４は、画素毎に乗算器９１、９２、９３から送られてくる乗算結果のうちの最小値を、Ｗ使用率が１００％であると仮定した場合のＲＧＢ−ＲＧＢＷ変換後のＷ信号Wsigとして算出する。
【０１４９】
最小値検出部９４によって画素毎に算出される信号Wsigは、高周波成分検出部１１０に送られるととともに、１水平期間分遅延させるための第１のＬＭ（ラインメモリ）１０１に送られる。第１のＬＭ（ラインメモリ）１０１に保持された信号Wsigは、１水平期間分遅延せしめられた後、高周波成分検出部１１０に送られるととともに、１水平期間分遅延させるための第２のＬＭ（ラインメモリ）１０２に送られる。第２のＬＭ（ラインメモリ）１０２に保持された信号Wsigは、１水平期間分遅延せしめられた後、高周波成分検出部１１０に送られる。
【０１５０】
高周波成分検出部１１０は、１画素期間分遅延させるための第１〜第４のフリップフロップ（ＦＦ）１１１〜１１４、水平方向のハイパスフィルタ（Ｈ−ＨＰＦ）１１５および垂直方向のハイパスフィルタ（Ｖ−ＨＰＦ）１１６を備えている。
【０１５１】
最小値検出部９４から高周波成分検出部１１０に入力された信号Wsigは、第１のＦＦ１１１に送られる。第１のＦＦ１１１に保持された信号Wsigは、１画素期間分遅延せしめられた後に出力され、Ｖ−ＨＰＦ１１６に送られる。
【０１５２】
第１のＬＭ（ラインメモリ）１０１から高周波成分抽出部１１０に入力された信号Wsigは、Ｈ−ＨＰＦ１１５に送られるとともに、第２のＦＦ１１２に送られる。第２のＦＦ１１２に保持された信号Wsigは、１画素期間分遅延せしめられた後に出力され、Ｈ−ＨＰＦ１１５、Ｖ−ＨＰＦ１１６および第３のＦＦ１１３に送られる。第３のＦＦ１１３に保持された信号Wsigは、１画素期間分遅延せしめられた後に出力され、Ｈ−ＨＰＦ１１５に送られる。
【０１５３】
第２のＬＭ（ラインメモリ）１０２から高周波成分抽出部１１０に入力された信号Wsigは、第４のＦＦ１１４に送られる。第４のＦＦ１１４に保持された信号Wsigは、１画素期間分遅延せしめられた後に出力され、Ｖ−ＨＰＦ１１６に送られる。
【０１５４】
つまり、Ｖ−ＨＰＦ１１６には、連続する３つの水平ラインの垂直方向の３画素に対応する信号Wsigが送られ、Ｈ−ＨＰＦ１１５には、各水平ラインの水平方向に連続する３画素に対応する信号Wsigが送られる。
【０１５５】
Ｖ−ＨＰＦ１１６は、入力される垂直方向の３画素に対応する信号Wsigを、図３３に示すフィルタ係数を用いてフィルタリングすることにより、それらの３画素のうちの中央の注目画素の垂直方向の高周波成分を算出する。
【０１５６】
Ｈ−ＨＰＦ１１５は、入力される水平方向の３画素に対応する信号Wsigを、図３４に示すフィルタ係数を用いてフィルタリングすることにより、それらの３画素のうちの中央の注目画素の水平方向の高周波成分を算出する。
【０１５７】
Ｖ−ＨＰＦ１１６によって算出された注目画素の垂直方向の高周波成分およびＨ−ＨＰＦ１１５によって算出された注目画素の水平方向の高周波成分は、Ｗ使用率算出部１２０に送られる。
【０１５８】
Ｗ使用率算出部１２０は、注目画素に対する垂直方向の高周波成分、水平方向の高周波成分および色の濃さとに基づいて、垂直方向の高周波成分および水平方向の高周波成分が大きいほど、かつ色の濃さが薄いほど、Ｗ使用率αが小さくなるように、Ｗ使用率αを算出する。
【０１５９】
例えば、注目画素に対する垂直方向の高周波成分をＨｖ、水平方向の高周波成分をＨｈ、色の濃さをＩとして、判定値Ｘを次式（１６）により算出する。
【０１６０】
Ｘ＝Ｈｖ・Ｈｈ／Ｉ    …（１６）
【０１６１】
そして、予め設定された判定値Ｘに対応するＷ使用率αの関係を表すテーブルに基づいて、算出された判定値Ｘに対応するＷ使用率αを算出する。図３５は、判定値Ｘに対応するＷ使用率αの関係を表すテーブルの内容をグラフで表したものである。
【０１６２】
なお、判定値Ｘを次式（１７）により算出してもよい。
【０１６３】
Ｘ＝（Ｈｖ＋Ｈｈ）／Ｉ    …（１６）
【０１６４】
Ｗ使用率算出部１２０によって算出されたＷ使用率αは、ＲＧＢ−ＲＧＢＷ信号変換回路１に与えられる。なお、判定値Ｘを所定の閾値と比較し、判定値Ｘが閾値以下の場合には、Ｗ使用率αをWGain1（例えば、１００％）に設定し、判定値Ｘが閾値より大きい場合には、Ｗ使用率αをWGain1より小さなWGain2（例えば、７０％）に設定するようにしてもよい。
【０１６５】
第２実施例において、色の個さ判定部８０を省略してもよい。この場合には、Ｖ−ＨＰＦ１１６によって算出された注目画素の垂直方向の高周波成分およびＨ−ＨＰＦ１１５によって算出された注目画素の水平方向の高周波成分に基づいて、Ｗ使用率αが制御される。
【０１６６】
なお、ＲＧＢ入力信号Rin,Gin,Bin に基づいて、画素毎に高周波成分を含む映像が表示される領域か否かを判定し、この判定結果に基づいてＲＧＢ−ＲＧＢＷ信号変換回路１によってＲＧＢ入力信号Rin,Gin,Bin をＲＧＢＷ信号に変換する際のＷ使用率αを画素毎に制御するようにしてもよい。この場合には、高周波成分を含む映像が表示されると判定された画素に対するＷ使用率αは、高周波成分を含む映像が表示されないと判定された画素に対して用いられるＷ使用率αよりも低い値に設定される。
【０１６７】
また、ＲＧＢ入力信号Rin,Gin,Bin に基づいて、画素毎にエッジ部か否かを判定し、この判定結果に基づいてＲＧＢ−ＲＧＢＷ信号変換回路１によってＲＧＢ入力信号Rin,Gin,Bin をＲＧＢＷ信号に変換する際のＷ使用率αを画素毎に制御するようにしてもよい。この場合には、エッジ部であると判定された画素に対するＷ使用率αは、エッジ部でないと判定された画素に対して用いられるＷ使用率αよりも低い値に設定される。
【０１６８】
上記実施例では、図２４〜図２６に示すようなストライプ配列のパネルの他、デルタ配列のパネルにも適用することができる。
【図面の簡単な説明】
【０１６９】
【図１】１画素がＲ，Ｇ，Ｂ，Ｗの４つの単位で構成されている例を示す模式図である。
【図２】表示装置の構成を示すブロック図である。
【図３】ＲＧＢ入力信号の一例を示す模式図である。
【図４】ｍｉｎ（ＲＧＢ）を示す模式図である。
【図５】入力信号−ｍｉｎ（ＲＧＢ）を示す模式図である。
【図６】Ｗt （２５５）を表現するためのＲＧＢＷの信号比を示す模式図てある。
【図７】Ｗt （１００）を実現するためのＲＧＢＷの信号比を示す模式図てある。
【図８】図５のＲＧＢ値と図７のＲＧＢＷ値とを加算することにより、求められたＲＧＢＷ値を示す模式図である。
【図９】パネル調整処理手順を示すフローチャートである。
【図１０】ＲＧＢＷの色度座標（ｘR ，ｙR ），（ｘG ，ｙG ），（ｘB ，ｙB ），（ｘW ，ｙW ）と、目標の白Ｗt の色度座標（ｘWt，ｙWt  ）とを示す模式図である。
【図１１】ＲＧＢ入力信号をＲＧＢＷ信号に変換するための信号変換処理の手順を示すフローチャートである。
【図１２】ＲＧＢ入力信号をＲＧＢＷ信号に変換するための信号変換処理の他の例を示すフローチャートである。
【図１３】ＲＧＢ入力信号の一例を示す模式図である。
【図１４】ＲＧＢ入力信号−ｍｉｎ（ＲＧＢ）を示す模式図である。
【図１５】ｍｉｎ（ＲＧＢ）を示す模式図である。
【図１６】ｍｉｎ（ＲＧＢ）に対応するＲＧＢＷ信号を示す模式図である。
【図１７】図１４のＲＧＢ値と図１６のＲＧＢＷ値とを加算することにより、求められたＲＧＢＷ値を示す模式図である。
【図１８】得られたＲＧＢＷ信号をＲ1 Ｇ1 Ｂ1 Ｗ1 入力信号とした場合の、Ｒ1 Ｇ1 Ｂ1 Ｗ1 入力信号を示す模式図である。
【図１９】Ｒ1 Ｇ1 Ｂ1 入力信号−ｍｉｎ（Ｒ1 Ｇ1 Ｂ1 ）を示す模式図である。
【図２０】ｍｉｎ（Ｒ1 Ｇ1 Ｂ1 ）を示す模式図である。
【図２１】ｍｉｎ（Ｒ1 Ｇ1 Ｂ1 ）に対応するＲＧＢＷ信号を示す模式図である。
【図２２】図１９のＲ1 Ｇ1 Ｂ1 値と図２１のＲ1 Ｇ1 Ｂ1 Ｗ1 値とを加算することにより、求められたＲＧＢＷ値を示す模式図である。
【図２３】ＲＧＢ入力信号をＲＧＢＷ信号に変換するための信号変換処理のさらに他の例を示すフローチャートである。
【図２４】ＲＧＢＷ方式の自発光型ディスプレイの画素配列の一例を示す模式図である。
【図２５】図２４に示すような画素配列の自発光型ディスプレイに、高周波成分を含む白映像（例えば、白文字）を表示する場合に、Ｗ単位画素のみを使用した場合の表示例を示す模式図である。
【図２６】図２５と同様な入力映像に対して、ＲＧＢ−ＲＧＢＷ変換率（Ｗ使用率）を１００％より低い値に設定して、ＲＧＢ−ＲＧＢＷ信号変換を行なった場合の表示例を示す模式図である。
【図２７】実施例１で用いられるＲＧＢ−ＲＧＢＷ変換回路による信号変換処理の手順を示すフローチャートである。
【図２８】実施例１による表示装置の構成を示すブロック図である。
【図２９】実施例１によるＷ使用率決定部２０の構成を示すブロック図である。
【図３０】注目画素を中心とする３（水平方向）×３（垂直方向）の９画素を示す模式図である。
【図３１】注目画素がエッジ部分にないと判定される場合の例を示す模式図である。
【図３２】実施例２によるＷ使用率決定部２０の構成を示すブロック図である。
【図３３】Ｖ−ＨＰＦ１１６で使用されるフィルタ係数を示す模式図である。
【図３４】Ｈ−ＨＰＦ１１５で使用されるフィルタ係数を示す模式図である。
【図３５】Ｗ使用率算出部１２０で使用されるテーブルの内容を表すグラフである。
【符号の説明】
【０１７０】
１  ＲＧＢ−ＲＧＢＷ信号変換回路
２  Ｄ／Ａ変換回路
３  有機ＥＬディスプレイ
２０  Ｗ使用率決定部
３０  信号比較部（表示色判定手段）
５０  エッジ検出部
５７  エッジ判定部
６０  セレクタ
８０  色の濃さ判定部
９０  Ｗ信号算出部
１１０  高周波成分検出部
１２０  Ｗ使用率算出部
【図１】
2006308685.tif 000005
【図２】
2006308685.tif 000006
【図３】
2006308685.tif 000007
【図４】
2006308685.tif 000008
【図５】
2006308685.tif 000009
【図６】
2006308685.tif 000010
【図７】
2006308685.tif 000011
【図８】
2006308685.tif 000012
【図９】
2006308685.tif 000013
【図１０】
2006308685.tif 000014
【図１１】
2006308685.tif 000015
【図１２】
2006308685.tif 000016
【図１３】
2006308685.tif 000017
【図１４】
2006308685.tif 000018
【図１５】
2006308685.tif 000019
【図１６】
2006308685.tif 000020
【図１７】
2006308685.tif 000021
【図１８】
2006308685.tif 000022
【図１９】
2006308685.tif 000023
【図２０】
2006308685.tif 000024
【図２１】
2006308685.tif 000025
【図２２】
2006308685.tif 000026
【図２３】
2006308685.tif 000027
【図２４】
2006308685.tif 000028
【図２５】
2006308685.tif 000029
【図２６】
2006308685.tif 000030
【図２７】
2006308685.tif 000031
【図２８】
2006308685.tif 000032
【図２９】
2006308685.tif 000033
【図３０】
2006308685.tif 000034
【図３１】
2006308685.tif 000035
【図３２】
2006308685.tif 000036
【図３３】
2006308685.tif 000037
【図３４】
2006308685.tif 000038
【図３５】
2006308685.tif 000039